(57)【要約】【課題】  ユーザー情報のセキュリティを高め、且つ、記録マークを微小化することなく記録容量を増大できる光記録媒体の再生方法を提供すること。【解決手段】  情報パターンを有する基板１１上に形成された記録層１４に情報が記録された光記録媒体からピット２５の情報及び記録マーク２６の情報を含む第１反射光信号を検出して３値信号に変換し、次に、記録層１４に光を照射して記録マーク２６の情報を消去した後、ピット２５の情報のみを含む第２反射光信号を検出し、３値信号に変換された第１反射光信号と第２反射光信号との差分演算処理を行って、記録マーク２６の情報を得る。【選択図】  図４
2005302105.tif 000002
【特許請求の範囲】
【請求項１】
情報パターンを有する基板上に形成された記録層に光照射により情報が記録された光記録媒体の再生方法であって、
前記光記録媒体に光を照射して前記情報パターンの情報及び前記記録層の情報を含んだ第１反射光信号を検出するステップと、
前記第１反射光信号を３値信号に変換するステップと、
前記光記録媒体に光を照射して前記記録層の情報を消去するステップと、
前記記録層の情報が消去された前記光記録媒体に光を照射して前記情報パターンの情報を含む第２反射光信号を検出するステップと、
前記３値信号に変換された前記第１反射光信号と前記第２反射光信号との演算処理を行うステップと、
を有することを特徴とする光記録媒体の再生方法。
【請求項２】
前記演算処理が、前記３値信号に変換された前記第１反射光信号と前記第２反射光信号との差分演算処理を行うことを特徴とする請求項１記載の光記録媒体の再生方法。
【請求項３】
前記第１反射光信号は、前記情報パターンのうち反射率が低い状態で且つ前記記録層の反射率が低い状態の反射光信号Ｓ１と、前記情報パターンのうち反射率が低い状態で且つ前記記録層の反射率が高い状態の反射光信号Ｓ２と、前記情報パターンのうち反射率が高い状態で且つ前記記録層の反射率が低い状態の反射光信号Ｓ３と、前記情報パターンのうち反射率が高い状態で且つ前記記録層の反射率が高い状態の反射光信号Ｓ４と、を含み、前記反射光信号Ｓ２及び前記反射光信号Ｓ３の信号レベルが略同レベルであることを特徴とする請求項１記載の光記録媒体の再生方法。
【請求項４】
前記第１反射光信号から変換された前記３値信号をメモリ部に保存するステップをさらに有することを特徴とする請求項１記載の光記録媒体の再生方法。
【請求項５】
前記第２反射光信号を２値信号に変換するステップをさらに有することを特徴とする請求項１記載の光記録媒体の再生方法。
【請求項６】
情報パターンを有する基板上に形成された記録層に光照射により情報が記録された光記録媒体の記録再生装置であって、
前記光記録媒体に光を照射し、且つ、反射光信号を検出する光ヘッドと、
検出された前記反射光信号を処理して前記情報パターンの情報と前記記録層の情報とに個別に再生する再生処理手段と、を備え、
前記再生処理手段が、前記光ヘッドで検出された前記情報パターンの情報及び前記記録層の情報を含んだ第１反射光信号を３値信号に変換する３値化回路と、前記第１反射光信号と前記光ヘッドで検出された前記情報パターンの情報のみを含む第２反射光信号とに基づき、当該記録層の情報に対応する信号を生成する演算部と、
を有することを特徴とする光記録媒体の記録再生装置。
【請求項７】
前記演算部が、前記第１反射光信号と前記第２反射光信号との差分演算機能を有することを特徴とする請求項６記載の光記録媒体の記録再生装置。
【請求項８】
前記第１反射光信号から前記３値信号に変換されたデータを保存するメモリ部と、前記第２反射光信号を２値信号に変換する２値化回路と、をさらに有することを特徴とする請求項６記載の光記録媒体の記録再生装置。
【請求項９】
情報パターンを有する基板と、
前記情報パターンを有する領域の少なくとも一部を含む前記基板上の領域に積層され、光照射により情報が記録される記録層と、を有し、
前記情報パターンの情報及び前記記録層の情報を含んだ信号として検出される反射光信号が、前記情報パターンのうち反射率が低い状態で且つ前記記録層の反射率が低い状態の反射光信号Ｓ１と、前記情報パターンのうち反射率が低い状態で且つ前記記録層の反射率が高い状態の反射光信号Ｓ２と、前記情報パターンのうち反射率が高い状態で且つ前記記録層の反射率が低い状態の反射光信号Ｓ３と、前記情報パターンのうち反射率が高い状態で且つ前記記録層の反射率が高い状態の反射光信号Ｓ４と、を含み、
前記反射光信号Ｓ２及び前記反射光信号Ｓ３の信号レベルの関係が、−０．２＜（Ｓ２−Ｓ３）／（Ｓ２＋Ｓ３）＜０．２（但し、Ｓ２、Ｓ３は、それぞれ、反射光信号Ｓ２、反射光信号Ｓ３の信号レベルである）であることを特徴とする光記録媒体。
【請求項１０】
前記反射光信号Ｓ２、前記反射光信号Ｓ３及び前記反射光信号Ｓ４の信号レベルの関係が、０．８＜Ｓ４／（Ｓ２＋Ｓ３）＜１．２（但し、Ｓ２、Ｓ３、Ｓ４は、それぞれ、反射光信号Ｓ２、反射光信号Ｓ３、反射光信号Ｓ４の信号レベルである）であることを特徴とする請求項９記載の光記録媒体。
【請求項１１】
前記反射光信号Ｓ１、前記反射光信号Ｓ２、前記反射光信号Ｓ３及び前記反射光信号Ｓ４の信号レベルの関係が、−０．２＜{（Ｓ１＋Ｓ４）／２}−{（Ｓ２＋Ｓ３）／２}＜０．２（但し、Ｓ１、Ｓ２、Ｓ３、Ｓ４は、それぞれ、反射光信号Ｓ１、反射光信号Ｓ２、反射光信号Ｓ３、反射光信号Ｓ４の信号レベルである）であることを特徴とする請求項９記載の光記録媒体。
【発明の詳細な説明】
【技術分野】
【０００１】
本発明は、光記録媒体の再生方法等に関し、より詳しくは、ピット情報及び記録層の情報が含まれた再生信号から各情報を個別に取り出すことが可能な光記録媒体の再生方法等に関する。
【背景技術】
【０００２】
音声、動画像、あるいはグラフィック等の情報データを記録再生できる媒体の一つとして光ディスクがある。光ディスクには、例えば、ＣＤ−ＲＯＭのように、情報の再生のみが可能な再生専用型光ディスク（以下、ＲＯＭ型光ディスクという）と、ＣＤ−Ｒのように、１回のみ情報の書き込みが可能な追記型光ディスク及びＣＤ−ＲＷのように、情報の書き換えが何度も可能な書換型光ディスク（以下では、ＲＡＭ型光ディスクという）と、が知られている。
【０００３】
このうち、ＲＯＭ型光ディスクは、ユーザー情報に対応したピットが基板上の全領域にわたって予め形成され、また、ピットが形成されている側の基板上に反射膜が形成され、ピットの有無による反射光量の変化に基づいて情報が再生される。
この種のＲＯＭ型光ディスクに記録されたコンピュータプログラム等は、複数台のコンピュータに無制限にインストールされることを防止するために、基板上に形成されている情報の管理データ領域にのみ相変化材料層を積層したＲＯＭ型光ディスクが報告されている（例えば、特許文献１参照）。
【０００４】
このような、管理データ領域にのみ相変化材料層を積層したＲＯＭ型光ディスクに再生光を照射すると、管理データ領域上の相変化材料層が溶融し、相変化材料層の反射率が著しく低下する。再生光の照射回数、即ち、再生回数が増加するに従って管理データ領域に形成されたピット情報が読み取り難くなり、ある特定の再生回数で管理データ領域のピット情報が再生不可能になる。これにより、管理データ領域のピット情報を介してユーザー情報をインストールすることが不可能となり、光ディスクに記録されたユーザー情報のインストール回数を制限することができる。
【０００５】
一方、追記型光ディスクやＲＡＭ型光ディスクは、基板上に情報を記録するための記録層を備えており、記録層に形成された記録マークの有無による反射率の変化に基づいて情報が再生される。一般に、追記型光ディスクでは記録層の材料として有機色素材料が用いられ、ＲＡＭ型光ディスクでは相変化材料が用いられる。
このような追記型光ディスクやＲＡＭ型光ディスクでは、アドレス情報等がピットで形成された再生専用領域とユーザー情報の書き込み及び書き換え可能な領域とを、ディスク基板上で別々の場所に配置し、高記録密度化を達成して大容量の記録媒体とするとともに、従来の光学系を有する記録再生装置により記録再生する方法が報告されている（例えば、特許文献２参照）。
【０００６】
また、このような３種類の光ディスクのいずれにも対応する記録再生装置が商品化されている。この記録再生装置では、追記型及びＲＡＭ型光ディスクへのユーザー情報の記録再生が可能であるとともに、ＲＯＭ型光ディスクのユーザー情報を再生することができる。
【０００７】
【特許文献１】特開平０９−２３１６１２号公報（第２頁〜第５頁、第１図）
【特許文献２】特開２０００−２９８８８２号公報（第４頁〜第５頁、第１図〜第３図）
【発明の開示】
【発明が解決しようとする課題】
【０００８】
ところで、特許文献１で報告されているように、管理データ領域にのみ積層された相変化材料層を再生光を繰り返し照射することにより溶融して反射率を低下させる方法によれば、ある特定の再生回数で管理データ領域のピット情報の再生が不可能になる。
しかし、ユーザー情報のインストールが１回行われた後は、続けて複数回のインストールを無断で行うことができない等、ユーザー情報のセキュリティをさらに高める必要がある。
【０００９】
また、特許文献２に記載されているような方法において、従来の追記型及びＲＡＭ型光ディスクで、情報の高密度記録化を図るためには、再生専用領域のピットと書き込み及び書き換え可能な領域（以下、記録可能領域という）の記録マークと、を微小化する必要がある。
しかし、再生専用領域のピット及び記録可能領域の記録マークの微小化が達成されても、光スポットの回折限界により再生光の再生分解能より小さい記録マークを再生することができないという問題がある。
さらに、これらの光ディスクでは、情報の再生専用領域と情報の記録可能領域とが、光ディスクの基板上の互いに異なる場所に配置されているため、各領域における情報の記録容量にも限界があるという問題がある。
【００１０】
このように、本発明は、光記録媒体に記録されたユーザー情報のセキュリティを高める方法を検討する際の問題と、併せて、光記録媒体に記録される情報の高密度記録化を図る上で浮き彫りになった問題を解決すべくなされたものである。
【００１１】
即ち、本発明の目的は、ユーザー情報のセキュリティを高め、且つ、記録マークを微小化することなく記録容量を増大できる光記録媒体の再生方法を提供することにある。
また、本発明の他の目的は、不正コピーの防止等、ユーザー情報のセキュリティを高め、且つ、記録マークを微小化することなく記録容量を増大できる光記録媒体の記録再生装置を提供することにある。
さらに、本発明の他の目的は、ユーザー情報のセキュリティを高め、且つ、情報の高密度記録化が図られた光記録媒体を提供することにある。
【課題を解決するための手段】
【００１２】
かかる課題を解決すべく、本発明では、３値処理された情報パターンの情報及び記録層の情報を含む反射光信号から情報パターンの情報を差し引く処理が行われる。
即ち、本発明によれば、情報パターンを有する基板上に形成された記録層に光照射により情報が記録された光記録媒体の再生方法であって、光記録媒体に光を照射して情報パターンの情報及び記録層の情報を含んだ第１反射光信号を検出するステップと、第１反射光信号を３値信号に変換するステップと、光記録媒体に光を照射して記録層の情報を消去するステップと、記録層の情報が消去された光記録媒体に光を照射して情報パターンの情報を含む第２反射光信号を検出するステップと、３値信号に変換された第１反射光信号と第２反射光信号との演算処理を行うステップと、を有することを特徴とする光記録媒体の再生方法が提供される。
【００１３】
ここで、本発明が適用される光記録媒体の再生方法における演算処理は、３値信号に変換された第１反射光信号と第２反射光信号との差分演算処理を行うことが好ましい。
【００１４】
本発明が適用される光記録媒体の再生方法において、情報パターンの情報及び記録層情報を含む第１反射光信号には、光記録媒体に情報を記録した際、基板に形成されたピットと記録層に記録された記録マークとの配置パターンの組み合わせにより、情報パターンのうち反射率が低い状態で且つ記録層の反射率が低い状態の反射光信号Ｓ１と、情報パターンのうち反射率が低い状態で且つ記録層の反射率が高い状態の反射光信号Ｓ２と、情報パターンのうち反射率が高い状態で且つ記録層の反射率が低い状態の反射光信号Ｓ３と、情報パターンのうち反射率が高い状態で且つ記録層の反射率が高い状態の反射光信号Ｓ４と、を含むものであり、このうち、反射光信号Ｓ２及び反射光信号Ｓ３の信号レベルが略同レベルであることを特徴とすることにより、４つの反射光信号（Ｓ１〜Ｓ４）を、２個のスレッショルド（閾値）を用いて、３種類の信号レベルで検出（３値処理）することが可能となる。
【００１５】
本発明が適用される光記録媒体の再生方法において、第１反射光信号から変換された３値信号をメモリ部に保存するステップをさらに有することが好ましい。
また、記録層の情報が消去された光記録媒体に光を照射して検出される情報パターンの情報を含む第２反射光信号を２値信号に変換するステップをさらに有することが好ましい。
【００１６】
次に、本発明によれば、情報パターンを有する基板上に形成された記録層に光照射により情報が記録された光記録媒体の記録再生装置であって、光記録媒体に光を照射し、且つ、反射光信号を検出する光ヘッドと、検出された反射光信号を処理して情報パターンの情報と記録層の情報とに個別に再生する再生処理手段と、を備え、再生処理手段が、光ヘッドで検出された情報パターンの情報及び記録層の情報を含んだ第１反射光信号を３値信号に変換する３値化回路と、第１反射光信号と光ヘッドで検出された情報パターンの情報のみを含む第２反射光信号とに基づき、記録層の情報に対応する信号を生成する演算部と、を有することを特徴とする光記録媒体の記録再生装置が提供される。即ち、再生処理手段により、情報パターンの情報と記録層の情報とを、それぞれ独立に求めることができる。
【００１７】
本発明が適用される光記録媒体の記録再生装置における演算部は、第１反射光信号と第２反射光信号との差分演算機能を有することが好ましい。演算部は、差分演算機能により、３値信号に変換された第１反射光信号から第２反射光信号を差し引き、記録層の情報のみを生成することができる。
【００１８】
また、本発明が適用される光記録媒体の記録再生装置における再生処理手段には、第１反射光信号から３値信号に変換されたデータを保存するメモリ部と、第２反射光信号を２値信号に変換する２値化回路と、をさらに有することが好ましい。
【００１９】
さらに本発明によれば、情報パターンを有する基板と、情報パターンを有する領域の少なくとも一部を含む基板上の領域に積層され、光照射により情報が記録される記録層と、を備え、情報パターンの情報及び記録層の情報を含んだ信号として検出される反射光信号が、情報パターンのうち反射率が低い状態で且つ記録層の反射率が低い状態の反射光信号Ｓ１と、情報パターンのうち反射率が低い状態で且つ記録層の反射率が高い状態の反射光信号Ｓ２と、情報パターンのうち反射率が高い状態で且つ記録層の反射率が低い状態の反射光信号Ｓ３と、情報パターンのうち反射率が高い状態で且つ記録層の反射率が高い状態の反射光信号Ｓ４と、を含み、反射光信号Ｓ２及び反射光信号Ｓ３の信号レベルの関係が、−０．２＜（Ｓ２−Ｓ３）／（Ｓ２＋Ｓ３）＜０．２（但し、Ｓ２、Ｓ３は、それぞれ、反射光信号Ｓ２、反射光信号Ｓ３の信号レベルである）であることを特徴とする光記録媒体が提供される。
即ち、４通りの反射光信号のうち、反射光信号Ｓ２及び反射光信号Ｓ３の信号レベルが略同レベルであることにより、２個のスレッショルド（閾値）を有する３値化回路用いて、４通りの反射光信号を３種類の信号レベルで検出（３値処理）することが可能となる。
【００２０】
また、本発明が適用される光記録媒体に光を照射して得られる４通りの反射光信号のうち、反射光信号Ｓ２、反射光信号Ｓ３及び反射光信号Ｓ４の信号レベルの関係が、０．８＜Ｓ４／（Ｓ２＋Ｓ３）＜１．２（但し、Ｓ２、Ｓ３、Ｓ４は、それぞれ、反射光信号Ｓ２、反射光信号Ｓ３、反射光信号Ｓ４の信号レベルである）であることが好ましい。
【００２１】
さらに、情報パターンの情報及び記録層の情報を含む信号として検出される反射光信号において、４通りの信号である反射光信号Ｓ１、反射光信号Ｓ２、反射光信号Ｓ３及び反射光信号Ｓ４の信号レベルの関係が、−０．２＜｛（Ｓ１＋Ｓ４）／２｝−｛（Ｓ２＋Ｓ３）／２｝＜０．２（但し、Ｓ１、Ｓ２、Ｓ３、Ｓ４は、それぞれ、反射光信号Ｓ１、反射光信号Ｓ２、反射光信号Ｓ３、反射光信号Ｓ４の信号レベルである）であることが好ましい。
【発明の効果】
【００２２】
かくして本発明によれば、ユーザー情報のセキュリティを高め、且つ、記録マークを微小化することなく記録容量を増大させることができる光記録媒体の記録再生方法が提供される。
【発明を実施するための最良の形態】
【００２３】
以下、本発明を実施するための最良の形態（以下、実施の形態）について、図面を参照しながら詳細に説明する。なお、本実施の形態において使用する光記録媒体としては、レーザ光を照射して記録再生を行う光記録媒体に対して広く適用可能であり、例えば、相変化型光ディスクや、有機色素材料により形成された色剤層を備えて構成された追記型光ディスク、さらに、光磁気ディスクであってもよい。
【００２４】
図１は、本実施の形態が適用される光記録媒体を説明する図である。図１には、光記録媒体として光ディスク１０が示されている。光ディスク１０は、光透過性材料で形成された基板１１と、基板１１上に順に積層され、ＺｎＳ、ＳｉＯ２等からなる保護層１２と、Ｇｅ、Ｃｒ等からなる第１熱安定化層１３と、Ｂｉ、Ｇｅ、Ｔｅ等の相変化材料又は有機色素等からなる記録層１４と、Ｇｅ、Ｃｒ等からなる第２熱安定化層１５と、ＺｎＳ、ＳｉＯ２等からなる中間層１６と、Ａｌ、Ｔｉ等からなる熱拡散層１７と、紫外線硬化性樹脂からなる紫外線硬化性保護層１８と、を有する。
【００２５】
光ディスク１０は、通常、以下のようにして調製される。基板１１は、原盤の表面に形成されたピットパターンを複数回転写することにより形成したニッケル（Ｎｉ）製のスタンパを用いて射出成形することにより、直径６０ｍｍ、厚さ１．２ｍｍのポリカーボネート製ディスク状基板を成形した。尚、原盤は、フォトレジストが塗布されたガラス基板を露光ヘッドを有する原盤露光装置に装着した後、露光ヘッドに供給した原盤露光信号に従ってパターニングすることにより形成した。基板１１上に形成されたピットパターンは、トラックピッチ１．６μｍ、ピット幅０．５μｍ及びピット深さ５０ｎｍである。また、ポリカーボネート製の基板１１の屈折率は１．５であった。
【００２６】
次に、基板１１上に、スパッタリングプロセスにより、厚さ５８ｎｍの（ＺｎＳ）８０（ＳｉＯ２）２０からなる保護層１２と、厚さ１ｎｍのＧｅ８Ｃｒ２−Ｎからなる第１熱安定化層１３と、厚さ１３ｎｍのＢｉ４Ｇｅ４６Ｔｅ５０からなる記録層１４と、厚さ１ｎｍのＧｅ８Ｃｒ２−Ｎからなる第２熱安定化層１５と、厚さ４８ｎｍの（ＺｎＳ）５０（ＳｉＯ２）５０からなる中間層１６と、厚さ１５０ｎｍのＡｌ９９Ｔｉ１からなる熱拡散層１７と、を順に成膜した。さらに、熱拡散層１７上に紫外線硬化性樹脂を塗布し、ＵＶ照射して紫外線硬化性保護層１８を形成し、光ディスク１０を得た。
【００２７】
図２は、光ディスク１０の基板１１に形成されたピット２５と記録層１４に記録された記録マーク２６との配置パターンを説明する図である。図２に示すように、光入射側（基板１１側）から見て凹形状になる部分をピット２５としている。光ディスク１０に情報を記録した際、光ディスク１０の基板１１に形成されたピット２５と、記録層１４に記録された記録マーク２６との配置パターンには、以下の４つの組み合わせが考えられる。
【００２８】
即ち、ピット２５が存在しない基板１１領域上の記録層１４に記録マーク２６が存在しない場合（図２（ａ））と、ピット２５が存在しない基板１１領域上の記録層１４に記録マーク２６が存在する場合（図２（ｂ））と、ピット２５上の記録層１４に記録マーク２６が存在しない場合（図２（ｃ））と、ピット２５上の記録層１４に記録マーク２６が存在する場合（図２（ｄ））と、の４通りである。図２（ａ）に示すような、ピット２５及び記録マーク２６が共に存在しない場合の反射光量が最も小さく、図２（ｄ）に示すような、ピット２５及び記録マーク２６が共に存在する場合の反射光量が最も大きい。
【００２９】
本実施の形態が適用される光ディスク１０において、ピット２５と記録マーク２６との配置パターンが異なると、各配置パターンから得られる反射光の反射光量はそれぞれ異なるため、図２（ａ）〜図２（ｄ）に示される４通りの配置パターンに対応する反射光信号が、それぞれ検出される。
【００３０】
即ち、光ディスク１０に照射された光により得られる反射光信号には、図２（ａ）に示すように、ピット２５及び記録マーク２６が共に存在しない場合は、形成された情報パターンのうち反射率が低い状態（ピット２５なし）で、且つ、記録層１４の反射率が低い状態（記録マーク２６なし）の反射光信号（Ｓ１）、図２（ｂ）に示すように、ピット２５が存在しない基板１１領域上の記録層１４に記録マーク２６が存在する場合は、形成された情報パターンのうち反射率が低い状態（ピット２５なし）で、且つ、記録層１４の反射率が高い状態（記録マーク２６あり）の反射光信号（Ｓ２）、図２（ｃ）に示すように、ピット２５上の記録層１４に記録マーク２６が存在しない場合は、形成された情報パターンのうち反射率が高い状態（ピット２５あり）で、且つ、記録層１４の反射率が低い状態（記録マーク２６なし）の反射光信号（Ｓ３）、図２（ｄ）に示すように、ピット２５上の記録層１４に記録マーク２６が存在する場合は、形成された情報パターンのうち反射率が高い状態（ピット２５あり）で、且つ、記録層１４の反射率が高い状態（記録マーク２６あり）の反射光信号（Ｓ４）、とが含まれる。
【００３１】
本実施の形態が適用される光ディスク１０は、ピット２５の幅、ピット２５の深さ、記録層１４に使用される記録材料の種類または記録層１４の厚さ等を適宜選択することにより、図２（ｂ）に示すようなピット２５及び記録マーク２６の配置パターンにおいて検出される反射光信号（Ｓ２）の信号レベルと、図２（ｃ）に示すようなピット２５及び記録マーク２６の配置パターンにおいて検出される反射光信号（Ｓ３）の信号レベルとが、略同レベルの信号として検出されることに特徴を有するものである。
【００３２】
即ち、光ディスク１０の構造を適当に調整し、反射光信号（Ｓ２）の信号レベルと反射光信号（Ｓ３）の信号レベルとが、略同レベルの信号として検出されることにより、図２（ａ）〜図２（ｄ）に示される４通りの配置パターンにそれぞれ対応する４つの反射光信号を、後述するように、２個のスレッショルド（閾値）を用いて、３種類の信号レベルで検出する（３値処理）ことが可能となる。
【００３３】
具体的には、反射光信号Ｓ２及び反射光信号Ｓ３の信号レベルの関係が、−０．２＜（Ｓ２−Ｓ３）／（Ｓ２＋Ｓ３）＜０．２（但し、Ｓ２、Ｓ３は、それぞれ、反射光信号Ｓ２、反射光信号Ｓ３の信号レベルである）であることが好ましい。
さらに、３種類の信号レベルが高いＳ／Ｎ比で検出されるために、反射光信号Ｓ２、反射光信号Ｓ３及び反射光信号Ｓ４の信号レベルの関係が、０．８＜Ｓ４／（Ｓ２＋Ｓ３）＜１．２（但し、Ｓ２、Ｓ３、Ｓ４は、それぞれ、反射光信号Ｓ２、反射光信号Ｓ３、反射光信号Ｓ４の信号レベルである）であることが好ましい。
また、反射光信号Ｓ１、反射光信号Ｓ２、反射光信号Ｓ３及び反射光信号Ｓ４の信号レベルの関係が、−０．２＜｛（Ｓ１＋Ｓ４）／２｝−｛（Ｓ２＋Ｓ３）／２｝＜０．２（但し、Ｓ１、Ｓ２、Ｓ３、Ｓ４は、それぞれ、反射光信号Ｓ１、反射光信号Ｓ２、反射光信号Ｓ３、反射光信号Ｓ４の信号レベルである）であることが好ましい。
【００３４】
次に、記録再生装置について説明する。図３は、記録再生装置を説明する図である。図３に示す記録再生装置３０は、光照射系３１と、光照射系３１を制御する制御回路系３２と、制御回路系３２を制御するホストコンピュータ３３と、から構成されている。尚、図３中に示された各回路ブロック間をつなぐ矢印は、電気信号の流れを表している。
【００３５】
光照射系３１は、情報の記録再生時に光ディスク１０にレーザ光を照射するとともに、光ディスク１０からの反射光を検出する機能を備えた光ヘッド３１１と、光ディスク１０を回転させるためのスピンドルモータ３１２と、を有する。
【００３６】
光ヘッド３１１は、波長７８０ｎｍのレーザ光源と、開口数ＮＡ＝０．５５の対物レンズと、光スポットの焦点を光ディスク１０上に合わせるためのフォーカシング機能及び光スポットを光ディスク１０上のトラックに追従させるためのトラッキング機能を有するアクチュエータと、反射光を検出するためのフォトディテクタとを内蔵している（いずれも図示せず）。
光ディスク１０は、基板１１側からの入射光により情報の記録再生が行われるため、光ディスク１０の基板１１側の面が光ヘッド３１１と対向するように、スピンドルモータ３１２に装着される。
【００３７】
制御回路系３２は、サーボ回路３２１と、レーザコントローラ３２２と、エンコーダ３２３と、記録信号生成回路３２４と、再生信号処理部３２５と、外部メモリ３２６と、演算装置３２７と、エラー訂正デコーダ３２８と、ユーザー情報３２９と、コントローラ３３０とで構成される。
【００３８】
次に、記録再生装置３０の作用について説明する。
光ヘッド３１１内のアクチュエータ（図示せず）は、フォトディテクタで検出された反射光のプッシュプル信号を制御回路系３２内のサーボ回路３２１でフィードバックすることによって得られる信号により制御される。また、光ヘッド３１１内のフォトディテクタ（図示せず）で検出された光ディスク１０からの反射光信号は、制御回路系３２内の再生信号処理部３２５に入力される。
スピンドルモータ３１２は、制御回路系３２内のコントローラ３３０により制御されて光ディスク１０を回転させる。
【００３９】
記録再生装置３０を用いて光ディスク１０に情報を記録する場合、記録すべき情報はホストコンピュータ３３からコントローラ３３０を介してエンコーダ３２３に入力されて記録データに変換され、さらに、記録信号生成回路３２４に入力されて記録信号（以下では、光照射信号という）に変換される。この光照射信号をレーザコントローラ３２２に入力することにより、この光照射信号に従って光強度変調された光パルスが光ヘッド３１１から光ディスク１０に照射され、光ディスク１０に情報が記録される。
【００４０】
一方、記録再生装置３０を用いて、光ディスク１０の情報を再生する場合、光ディスク１０に記録された情報は、光ヘッド３１１から再生光を光ディスク１０に照射し、光ディスク１０からの反射光を光ヘッド３１１内のフォトディテクタ（図示せず）により検出する。フォトディテクタにより検出された反射光信号は、再生信号処理部３２５に入力され、再生信号処理部３２５では、入力された反射光信号をＩ−Ｖ変換回路（図示せず）により電圧の信号に変換する。
フォトディテクタにより検出された反射光信号が、前述したように、図２（ａ）〜図２（ｄ）に示される４通りの配置パターンに対応する情報が含まれている反射光信号（第１反射光信号）である場合は、この反射光信号（第１反射光信号）は、再生信号処理部３２５に入力された後、２つのスレッショルド（閾値）を持つ３値化回路により３値信号に変換される。尚、３値信号は、その後、さらに２進数に変換しても良い。
【００４１】
光ヘッド３１１で検出された反射光信号がピット情報のみを含む場合（第２反射光信号）には、１つのスレッショルドを持つ２値化回路で２値信号に変換される。この際、２値化及び３値化するタイミングは、再生信号処理部３２５内のＰＬＬ回路（図示せず）により生成されたクロック信号により決定される。
【００４２】
再生過程の中で、光ヘッド３１１により検出された反射光信号が、ピット情報及び記録層１４（図１）の情報を含んだ信号である場合（第１反射光信号）には、再生信号処理部３２５から出力される反射光のデジタル信号（検出データ１）は、外部メモリ３２６に直接送られて保存される。一方、光ヘッド３１１により検出された反射光信号がピット情報のみを含む場合（第２反射光信号）には、再生信号処理部３２５から出力される反射光のデジタル信号（検出データ２）は、演算装置３２７に入力される。
【００４３】
演算装置３２７では、再生信号処理部３２５から直接入力されるピット情報のみを含んだ反射光のデジタル信号（検出データ２）と、外部メモリ３２６から入力されるピット情報及び記録層１４（図１）の情報を含んだ反射光のデジタル信号（検出データ１）と、の差を計算し、記録層１４（図１）の情報に相当する反射光のデジタル信号（検出データ３）を生成する。そして、演算装置３２７からピット情報に相当するデジタル信号（検出データ２）と、記録層１４（図１）の情報に相当するデジタル信号（検出データ３）と、を個別に出力する。
【００４４】
演算装置３２７から個別に出力されたピット情報に相当するデジタル信号（検出データ２）と、記録層１４（図１）の情報に相当するデジタル信号（検出データ３）とは、両者ともに、エラー訂正デコーダ３２８に入力される。エラー訂正デコーダ３２８では、個別に入力されたピット情報に相当するデジタル信号（検出データ２）と、記録層１４（図１）の情報に相当するデジタル信号（検出データ３）とに対して、それぞれエラー訂正を行い、エラー訂正デコーダ３２８内のデコーダ（図示せず）により、ユーザー情報３２９に変換する。
【００４５】
尚、本実施の形態においては、ピット情報に相当するデジタル信号（検出データ２）と、記録層１４（図１）の情報に相当するデジタル信号（検出データ３）とを、演算装置３２７から個別に出力した後に、エラー訂正を行っているが、これに限定されず、例えば、エラー訂正は、再生信号処理部３２５から出力される反射光のデジタル信号について行っても良い。
【００４６】
次に、光記録媒体の再生方法について説明する。
図４は、光ディスク１０（図１）に記録された情報を再生する方法を説明する図である。
図４（ａ）は、光ディスク１０（図１）に記録するための光照射信号である。ａ１（上段）は、ピット情報であり、ａ２（下段）は、記録層１４に記録した情報である。光ディスク１０（図１）への記録は、これらの光照射信号に従って変調されたレーザ光（記録光）を光ディスク１０（図１）に照射して行われる。本実施の形態において、記録光の記録パワーは、例えば、９ｍＷである。また、記録層１４の光照射信号の周期は、ピット形成のために用いる原盤露光信号の周期より短くしてある。
【００４７】
図４（ｂ）は、図４（ａ）に示された光照射信号により情報が記録された光ディスク１０（図１）のピット２５及び記録層１４の記録状態を示す断面図である。黒く塗りつぶした部分は、記録層１４に記録マーク２６が形成されている部分である。図４（ｂ）に示すように、記録マーク２６は、ピット２５の部分とピット２５が無い部分との両方に形成されている。
【００４８】
次に、図４（ｃ）は、照射された再生光により光ディスク１０（図１）から検出された反射光信号（第１反射光信号）である。本実施の形態において、再生光の再生パワーは、例えば、１ｍＷである。図４（ｃ）には、ピット２５及び記録層１４に記録された記録マーク２６の情報が混在した複雑な信号波形が示されている。即ち、検出された反射光信号（第１反射光信号）には、形成された情報パターンのうち反射率が低い状態（ピット２５なし）で、且つ、記録層１４の反射率が低い状態（記録マーク２６なし）の反射光信号（Ｓ１）と、形成された情報パターンのうち反射率が低い状態（ピット２５なし）で、且つ、記録層１４の反射率が高い状態（記録マーク２６あり）の反射光信号（Ｓ２）と、形成された情報パターンのうち反射率が高い状態（ピット２５あり）で、且つ、記録層１４の反射率が低い状態（記録マーク２６なし）の反射光信号（Ｓ３）と、形成された情報パターンのうち反射率が高い状態（ピット２５あり）で、且つ、記録層１４の反射率が高い状態（記録マーク２６あり）の反射光信号（Ｓ４）と、が含まれる。
【００４９】
図４（ｃ）に示すように、本実施の形態においては、反射光信号（Ｓ１）の信号レベルがもっとも低く、反射光信号（Ｓ４）の信号レベルがもっとも高く検出される。また、反射光信号（Ｓ２）と反射光信号（Ｓ３）とは、略同程度の信号レベルの信号として検出される。
Ｔｈ１及びＴｈ２は、スレッショルド（閾値）である。２つのスレッショルド（閾値）を用いて、４通りの反射光信号（Ｓ１〜Ｓ４）は、後述するように３値処理される。Ｔｈ１は、信号レベル０ｍＶ〜＋２００ｍＶ間に設けられ、Ｔｈ２は、信号レベル−２００ｍＶ〜０ｍＶ間に設けられる。
【００５０】
続いて、図４（ｄ）は、第１反射光信号を３値化したデータ（検出データ１）である。図４（ｄ）には、図４（ｃ）に示された光ディスク１０（図１）から検出された反射光の４通りの信号（第１反射光信号）を、２つのスレッショルド（閾値）を用いて３値に変換された信号が示されている。４通りの信号（第１反射光信号）を、再生クロック点において２つのスレッショルド（閾値）を用いて３値に変換された信号データ（検出データ１）は、記録再生装置３０（図３）内の外部メモリ３２６（図３）に保存される。
【００５１】
次に、図４（ｅ）は、光ディスク１０（図１）の記録層１４に記録されている情報を消去した状態を示す断面図である。記録層１４に記録されている情報を消去する場合は、光ディスク１０（図１）に、例えば、レーザパワー９ｍＷのレーザ光（消去光）を照射することにより行う。本実施の形態では、Ｂｉ、Ｇｅ、Ｔｅ等からなる相変化材料を用いた記録層１４は、消去光を照射することにより総て未記録状態（初期化状態）になり、これにより記録層１４からの反射光量が一定になる。
尚、記録層１４が有機色素材料から形成されている場合は、消去光を照射して媒体内の記録層１４を総て記録状態にすることにより反射光量が一定になり、情報が消去された状態になる。
【００５２】
続いて、図４（ｆ）は、記録層１４の情報が消去された光ディスク１０（図１）から検出された反射光信号（第２反射光信号）である。図４（ｆ）に示すように、記録層１４の情報を消去した後、例えば、再生パワー１ｍＷのレーザ光を照射して再生を行うと、媒体内の記録層１４の情報はすでに消去されているので、検出される反射光信号（第２反射光信号）は、基板１１（図１）上に形成された情報パターンの情報のみを含んだ信号となる。Ｔｈ３は、スレッショルド（閾値）である。０Ｖに設けられたＴｈ３を用いて、第２反射光信号は、後述するように２値処理される。
【００５３】
次に、図４（ｇ）は、第２反射光信号を２値化したデータ（検出データ２）である。前述したように、媒体内の記録層１４の情報はすでに消去されているので、検出される反射光信号（第２反射光信号）には、図４（ａ）のａ１（上段）に示されたように、ピットパターンを形成するために用いた原盤露光信号と同じ周期の信号であるピット情報に相当する信号のみが含まれ、０Ｖに設けられたＴｈ３により２値処理される。
【００５４】
図４（ｈ）は、（検出データ１）から（検出データ２）を差し引いた（差分演算処理）データ（検出データ３）である。第１反射光信号を３値化したデータ（検出データ１）と第２反射光信号を２値化したデータ（検出データ２）とを差分演算処理することにより、図４（ａ）のａ２（下段）に示されたように、記録層１４に情報を記録する際に用いた光照射信号と同じ周期の信号となり、記録層１４に記録された情報に相当する信号が得られる。
尚、図４（ｉ）は、再生クロック信号である。
【００５５】
即ち、ピット２５及び記録層１４に記録された記録マーク２６の情報が混在した信号（第１反射光信号）を３値処理したデータ（検出データ１）と、ピット情報に相当する信号（第２反射光信号）を２値処理したデータ（検出データ２）とを、記録再生装置３０（図３）の演算装置３２７（図３）に入力し、（検出データ１）と（検出データ２）との差分演算処理により得られたデータ（検出データ３）は、記録層１４に情報を記録する際に用いた光照射信号と同じ周期の信号となり、記録層１４に記録された情報に相当する信号が得られる。
【００５６】
以上、説明したように、本実施の形態が適用される光ディスク１０及び記録再生装置３０を用いることにより、ピット情報及び記録層１４の情報を含んだ再生信号から、各情報を個別に再生することが可能となる。これにより、情報の再生専用領域と記録可能領域とを基板上で別々の領域に配置する必要が無くなる。また、再生専用領域のピット領域及び記録可能領域の記録マーク２６を微小化することなく光記録媒体の記録容量を増大させることができる。
【００５７】
さらに、ピット情報及び記録層１４の情報を含んだ再生信号から、ピット情報のみを含む信号を検出するために記録層１４の情報を消去するので、例えば、追記型光ディスクのように、記録層１４の書き込みが１回のみである光記録媒体では、一度再生すると二度と再生できなくなることから、無制限なコピーの防止に有効であり、また、情報のセキュリティ性を向上させることもできる。
【図面の簡単な説明】
【００５８】
【図１】本実施の形態で使用する光記録媒体を説明する図である。
【図２】光ディスクの基板に形成されたピットと記録層に記録された記録マークとの配置パターンを説明する図である。
【図３】記録再生装置を説明する図である。
【図４】光ディスクに記録された情報を再生する方法を説明する図である。図４（ａ）は、光ディスクに記録するための光照射信号であり、図４（ｂ）は、光ディスク）のピット及び記録層の記録状態を示す断面図であり、図４（ｃ）は、照射された再生光により光ディスクから検出された反射光信号（第１反射光信号）であり、図４（ｄ）は、第１反射光信号を３値化したデータ（検出データ１）であり、図４（ｅ）は、光ディスクの記録層に記録されている情報を消去した状態を示す断面図であり、図４（ｆ）は、記録層の情報が消去された光ディスクから検出された反射光信号（第２反射光信号）であり、図４（ｇ）は、第２反射光信号を２値化したデータ（検出データ２）であり、図４（ｈ）は、（検出データ１）から（検出データ２）を差し引いた（差分演算処理）データ（検出データ３）であり、図４（ｉ）は、再生クロック信号である。
【符号の説明】
【００５９】
１０…光ディスク、１１…基板、１２…保護層、１３…第１熱安定化層、１４…記録層、１５…第２熱安定化層、１６…中間層、１７…熱拡散層、１８…紫外線硬化性保護層、２５…ピット、２６…記録マーク、３０…記録再生装置、３１…光照射系、３２…制御回路系、３３…ホストコンピュータ、３１１…光ヘッド、３１２…スピンドルモータ、３２１…サーボ回路、３２２…レーザコントローラ、３２３…エンコーダ、３２４…記録信号生成回路、３２５…再生信号処理部、３２６…外部メモリ、３２７…演算装置、３２８…エラー訂正デコーダ、３２９…ユーザー情報、３３０…コントローラ
【図１】
2005302105.tif 000003
【図２】
2005302105.tif 000004
【図３】
2005302105.tif 000005
【図４】
2005302105.tif 000006